(57)【特許請求の範囲】
【請求項１】
近赤外光を透過させるシートを重ね合わせた状態で周辺が封止されてなる薬包であって、前記重ね合ったシートのうち一方のシートに情報識別部を含む前記薬包中の薬剤個数を計数する薬剤個数計数装置において、
前記一方のシートを下方に向けた状態で配置された前記薬包の下方から、前記薬包に向かって近赤外光を照射する照明部と、
前記薬包を透過した前記近赤外光を受光する位置に配置されて前記薬包のデジタル画像を撮像する撮像部と、
前記撮像部が受光する前記近赤外光の受光量を調整する受光量調整手段と、
前記デジタル画像を２値化して前記薬剤の個数を計数する薬剤計数手段とを備え、
前記受光量調整手段は、薬剤が含まれていない状態の前記薬包の前記デジタル画像において、略全ての画素の濃淡値が所定の閾値を越えるまで前記受光量を調整することを特徴とする薬剤個数計数装置。
【請求項２】
前記受光量の調整は、前記照明部から照射される前記近赤外光の輝度を調整する輝度調整を含むことを特徴とする請求項１記載の薬剤個数計数装置。
【請求項３】
前記受光量の調整は、前記撮像部の露光時間を調整する露光時間調整を含むことを特徴とする請求項１又は２記載の薬剤個数計数装置。
【発明の詳細な説明】
【技術分野】
【０００１】
本発明は、薬包内に封入された薬剤の個数を自動的に計数する薬剤個数計数装置に関する。
【背景技術】
【０００２】
従来、病院の薬局や調剤薬局等では患者が一度に服用すべき複数種類の錠剤等からなる薬剤を、例えば公知の自動分包装置を用いて一つの薬包に封止して提供する一包化が行われる。その際、封入された薬剤の個数を計数して個数が異常な薬包を排除することは、患者に処方箋通りの薬剤を提供する観点から極めて重要である。
【０００３】
そのため、例えばＣＣＤカメラで薬包を撮像し、その画像処理を行うことにより薬包中の薬剤の個数を自動的に計数する薬剤検査装置が提案されてきた。
【０００４】
ところが、薬包には、例えば患者名、薬剤名、月日等の文字或いは各種の図形が表示されることが多く、これらの文字や図形等の画像が薬剤個数の計数の際の妨げになるという問題があった。
【０００５】
そこで、このような問題を解決するために様々な提案がされている（例えば特許文献１参照）。
【先行技術文献】
【特許文献】
【０００６】
【特許文献１】特開平７−２０９１９６号公報
【発明の開示】
【発明が解決しようとする課題】
【０００７】
特許文献１によれば、光透過性の薬袋の表面に印字を施す印字機構と、薬袋内に複数の錠剤を封入するための包装機構とを具えた錠剤包装装置を対象として、薬袋内の錠剤の個数或いは種類を検査する錠剤検査システムであって、検査位置の薬袋を撮影する撮像手段と、該撮像手段からの原画像を第１の２値画像に変換する第１画像処理手段と、印字機構から印字情報を取得して、該印字情報を第２の２値画像に変換する第２画像処理手段と、前記第１の２値画像から第２の２値画像を減算して、第３の２値画像を作成する第３画像処理手段と、該第３の２値画像に収縮及び膨張からなるノイズ除去処理を施して、第４の２値画像を作成する第４画像処理手段と、前記第４の２値画像に画像認識処理を施して、薬袋内の錠剤の個数或いは種類を検知する画像認識手段とを具える錠剤検査システムが開示されている。
【０００８】
しかしながら、特許文献１によれば、印字機構から印字情報を取得して、該印字情報を第２の２値画像に変換し、原画像を２値画像に変換した第１の２値画像から第２の２値画像を減算することで薬袋に表示された印字を画像上で消去するものである。ところが、医療現場においては、例えば病棟番号やレ点等のチェック記号を必要に応じて油性ペン等を用いて薬袋に筆記する場合が多い。特許文献１によれば、このような筆記による文字等は画像上で消去されないため、筆記による文字等が記載された薬袋に関しては錠剤の画像認識の際に精度の低下を生じる虞があるという問題があった。
【０００９】
また、特許文献１によれば、薬包中の薬剤を計数する都度、第１の２値画像から第２の２値画像を減算する処理を実行する必要があるため、例えばコントローラ等の装置側に掛かる処理負担が増大する虞があるという問題があった。
【００１０】
そこで、本発明は、上記従来の問題に鑑みてなされたものであり、その目的は、薬包に文字・図形等が印字され或いは筆記されていても、薬包内の薬剤個数を精度高く計数可能であるとともに装置側の処理負担を軽減可能な薬剤個数計数装置を提供することにある。
【課題を解決するための手段】
【００１１】
請求項１の発明は、近赤外光を透過させるシートを重ね合わせた状態で周辺が封止されてなる薬包であって、前記重ね合ったシートのうち一方のシートに情報識別部を含む前記薬包中の薬剤個数を計数する薬剤個数計数装置において、前記一方のシートを下方に向けた状態で配置された前記薬包の下方から、前記薬包に向かって近赤外光を照射する照明部と、前記薬包を透過した前記近赤外光を受光する位置に配置されて前記薬包のデジタル画像を撮像する撮像部と、前記撮像部が受光する前記近赤外光の受光量を調整する受光量調整手段と、前記デジタル画像を２値化して前記薬剤の個数を計数する薬剤計数手段とを備え、前記受光量調整手段は、薬剤が含まれていない状態の前記薬包の前記デジタル画像において、略全ての画素の濃淡値が所定の閾値を越えるまで前記受光量を調整する、薬剤個数計数装置である。
【００１２】
請求項２の発明は、請求項１記載の薬剤個数計数装置において、前記受光量の調整は、前記照明部から照射される前記近赤外光の輝度を調整する輝度調整を含むことを特徴とする。
【００１３】
請求項３の発明は、請求項１又は２記載の薬剤個数計数装置において、前記受光量の調整は、前記撮像部の露光時間を調整する露光時間調整を含むことを特徴とする。
【発明の効果】
【００１４】
本発明によれば、近赤外光を透過させるシートを重ね合わせた状態で周辺が封止されてなる薬包であって、前記重ね合ったシートのうち一方のシートに情報識別部を含む前記薬包中の薬剤個数を計数する薬剤個数計数装置において、前記一方のシートを下方に向けた状態で配置された前記薬包の下方から、前記薬包に向かって近赤外光を照射する照明部と、前記薬包を透過した前記近赤外光を受光する位置に配置されて前記薬包のデジタル画像を撮像する撮像部と、前記撮像部が受光する前記近赤外光の受光量を調整する受光量調整手段と、前記デジタル画像を２値化して前記薬剤の個数を計数する薬剤計数手段とを備え、前記受光量調整手段は、薬剤が含まれていない状態の前記薬包の前記デジタル画像において、略全ての画素の濃淡値が所定の閾値を越えるまで前記受光量を調整する構成であるから、薬包に識別情報部としての文字・図形等が印字され或いは筆記されていても、撮像部が受光する光量を調整することでこれらの識別情報部の画像のみを消去しつつ薬包内の薬剤個数を精度高く計数可能な薬剤個数計数装置を提供できる。また、一旦光量を調整した薬包であれば、特許文献１のように計数毎に画像の減算をする処理を実行する必要もなく、装置側の処理負担を軽減可能な薬剤個数計数装置を提供できる。
【００１５】
また、前記受光量の調整は、前記照明部から照射される前記近赤外光の輝度を調整する輝度調整を含む構成であるから、照明部から照射される近赤外光の輝度、すなわち照明部からの明るさを調整することで受光量を調整可能となるので、複雑な機構や構造にすることなく安価な薬剤個数計数装置を提供できる。
【００１６】
また、前記受光量の調整は、前記撮像部の露光時間を調整する露光時間調整を含む構成であるから、例えば撮像部のシャッタースピード調整により撮像部の露光時間を調整することで受光量を調整可能となるので利便性が高い薬剤個数計数装置を提供できる。
【図面の簡単な説明】
【００１７】
【図１】本発明の実施形態に係る薬包例を説明する平面図である。
【図２】本発明の実施形態に係る薬剤個数計数装置例を説明する一部断面説明図である。
【図３】本発明の実施形態に係る照明部において近赤外光を用いる理由を説明するイメージ図である。
【図４】本発明の実施形態に係る薬剤個数計数装置における処理例を説明するフローチャート図である。
【図５】本発明の実施形態に係る薬剤個数計数装置における表示画面例を説明する図である。
【発明を実施するための形態】
【００１８】
以下、本発明の実施形態に係る薬包内の薬剤個数計数装置について図を用いて説明する。
以下の説明において、薬剤とは、有効成分等を圧縮成形したタブレット剤、粉末状の薬剤をカプセルに封入したカプセル剤並びに糖衣錠剤等を示す。
また、以下の説明において、近赤外光とは、略０．８μｍ〜２．５μｍの波長の光を意味する。
また、以下の説明において、情報識別部とは、印刷や筆記により薬包に表された文字、図形或いは記号等を意味する（図１参照）。
また、説明の便宜のため以下の説明において、画像はモノクロ画像を例にとって説明する。したがって、各画素の濃淡値は、例えば０〜２５５までの２５６諧調のうちいずれかの諧調で示される。
【００１９】
まず、本発明の実施形態の薬剤個数計数装置１０の説明の前に、本実施形態における薬包１２及び情報識別部について説明する。
本実施形態の薬包１２は、図１に示すように、一般の病院や調剤薬局等で薬剤を封入するために使用される公知の分包袋である。この薬包１２は、図１及び図２に示すように、例えば帯状のシート材を長手方向に二つに折り曲げて折曲辺２とし（図１参照）、長手方向に所定の間隔を設けて上下シート１３，１４を熱溶着することによって帯状に複数連続して形成される。さらに、図１に示すように、この連続した薬包１２をそれぞれに分離できるように、長手方向に直交する熱溶着部に切取り用のミシン目６が設けられる。
【００２０】
このように形成される薬包１２に、例えば公知の錠剤分包装置（図示せず）により、処方箋に従って錠剤が投入されて収納される。投入される際には、薬包１２の折曲辺２と対向する側辺は未溶着の状態で開放されており、この開放した側辺から錠剤が投入された後に、側辺も溶着されて閉鎖される。
このシート材は、例えばポリエチレン、ポリプロピレン或いはポリエチレンテレフタレート等の近赤外光を透過させる合成樹脂材料からなる透明もしくは半透明のシートで形成される。
【００２１】
このように形成される薬包１２の中に、図１に示すように、薬剤１としての例えばカプセル剤１ａ、タブレット剤１ｂ、糖衣錠剤１ｃ等が封入されている。
【００２２】
次に、本実施形態の情報識別部は、図１に示すように印刷による文字１８或いは「特許太郎」、「東Ａ棟」等の筆記文字１１や「レ」点等の筆記による記号１５からなる。この情報識別部は、近赤外光の透過率が高いインク材で印刷或いは筆記されてもよいし、近赤外光を殆ど透過させないインク材で印刷或いは筆記されてもよい。また、情報識別部は、青、緑、赤等の様々の色を備えていてもよいし、黒色であってもよい。
そして、本実施形態において情報識別部は、上下シート１３，１４のうちのいずれか一方のシート１４に形成される。
【００２３】
次に、本実施形態の薬剤個数計数装置１０について説明する。本実施形態の薬剤個数計数装置１０は、図２に示すように、照明部２０、撮像部３０、制御部４０、入力部４６、画像処理部３８、記憶部４４並びに表示部４２を備える。図１において、照明部２０は内部の説明の便宜上、一部を断面で現している。
【００２４】
本実施形態の制御部４０は、ＣＰＵ（図示せず）やワーキングメモリ（図示せず）等を備え、図２に示すように、撮像部３０、画像処理部３８並びに照明部２０に接続される。そして、制御部４０は、例えば所定のプログラムによる指示や入力部４６からの指示に基づいて、撮像部３０への撮像指示、画像処理部３８への画像処理指示、照明部２０への輝度調整指示、記憶部４４への書込み等を行う。
【００２５】
本実施形態の照明部２０は、図２に示すように、複数の光源２２と、フレーム２６と、拡散板２４と、輝度調整部２５を備える直下型バックライトよりなる。
先ず、フレーム２６は、図２に示すように、天井部２８が開口した直方体状の箱体よりなる。
【００２６】
次に、光源２２は、例えば０．８５μｍをピークとした近赤外光を発光するＬＥＤランプで構成され、図２に示すように、フレーム２６の底部側に収容され、天井部２８に向けて近赤外光Ｉを照射する。光源２２は、ＬＥＤランプに限らず例えば半導体レーザであってもよい。
【００２７】
次に、拡散板２４は光源２２からの光を透過拡散させる略平坦な薄板からなり、フレーム２６の天井部２８を施蓋するよう設けられている。拡散板２４の材質は特に限定されないが、透過光拡散機能に優れたものが良く、具体的には白色系（乳白色）のポリカーボネート樹脂、アクリル樹脂、ポリプロピレン樹脂等が好ましい。
【００２８】
次に、輝度調整部２５は、例えば光源２２としてのＬＥＤランプに流れる電流を制御する公知の制御回路を備える。そして、輝度調整部２５は、制御部４０の指示によりＬＥＤランプに流れる電流を制御することで光源２２から照射される近赤外光の輝度を調整する、すなわち、光源２２の明るさを調整可能な構成となっている。また、本実施系形態の輝度調整部２５は、上述した電流を可変させるための摘まみ（図示せず）を備えている。
なお、上述した電流の制御は、電流値を制御する方法でも良いし、パルス電流の幅を変調させる方法でもよい。
【００２９】
そして照明部２０は、シート面に向かって近赤外光Ｉを照射する。具体的には、図２に示すように、拡散板２４を略水平にしてその上に薬包１２を載置しているので、照明部２０は、薬包１２の略垂直下方に配置され、シート（１４）面に向かって近赤外光Ｉを照射する。
本実施形態の様に、拡散板２４の上に薬包１２を直接載置しなくても、例えば近赤外光を透過させる材料で形成されたベルトコンベヤ上に薬包１２を載置して薬包１２を水平搬送し、そのコンベヤベルトの下方の所定位置に照明部２０を配置する構成であってもよい。
【００３０】
次に、本実施形態の撮像部３０は、例えばＣＣＤイメージセンサ或いはＣＭＯＳイメージセンサ等の撮像素子（図示せず）を備えるデジタルカメラからなり、いわゆるシャタースピード等の露光時間を調整する露光時間調整部３１を含む。なお撮像素子は近赤外光に感度が高いものが好ましい。
また撮像部３０は、図２に示すように、その先端の受光部３４に可視光カットフィルタ３２を装着している。本実施形態の可視光カットフィルタ３２は、近赤外光は減衰させないものの可視光領域（例えば０．３６μｍ〜０．８μｍ）の光を減衰させる光学フィルタよりなり、撮像素子への可視光の入射を防止している。
【００３１】
そして撮像部３０は、薬包１２を透過した近赤外光Ｉを受光する位置に配置されて薬包１２を撮像する。具体的には、図２に示すように、照明部２０と対向する上方位置に配置されて薬包１２を透過した近赤外光Ｉを受光して薬包１２を撮像する。
撮像部３０の位置は、照明部２０の上方に限るものではなく、薬包１２を透過した近赤外光を受光できる位置であれば、照明部２０の向きや薬包１２の姿勢に応じた任意の位置に配置することができる。撮像部３０で撮像した画像については後述する。
【００３２】
次に、画像処理部３８は、ＣＰＵ（図示せず）や画像メモリ（図示せず）等を備え、例えば撮像部３０で撮像された原画像の各画素の濃淡値を所定の閾値で２値化する公知の２値化処理を実行する。この２値化処理により、薬包１２の白黒画像、すなわち２値化画像を得ることができる。また、画像処理部３８は、例えば２値化画像において孤立画素の除去等の公知のノイズ除去処理を実行する。
【００３３】
次に、入力部４６は、例えばテンキー、キーボード並びにマウス等を含み、制御部４０に接続される。そして、入力部４６は、制御部４０に対して文字や数字等を入力する。また、記憶部４４は、公知のハードディスクで形成され、画像データや２値化処理の際の閾値データ等を記憶する。
【００３４】
次に、表示部４２は、公知の液晶ディスプレイからなり制御部４０の指示により、薬包１２の原画像、２値化画像、操作のためのＧＵＩ（Ｇｒａｐｈｙｃａｌ  Ｕｓｅｒ  Ｉｎｔｅｒｆａｃｅ）画面等を表示させる。このＧＵＩ画面には、キーボード入力やマウス操作に必要な各種エリア、ウインドウやボタン等が表示されるが、この点については後述する。なお、表示部４２は、薬包１２の原画像、２値化画像、操作のためのＧＵＩ（Ｇｒａｐｈｙｃａｌ  Ｕｓｅｒ  Ｉｎｔｅｒｆａｃｅ）画面を表示させるタッチパネルからなっていてもよい。
【００３５】
ここで、照明部２０からの光を近赤外光とした理由について主に図３を用いて説明する。
発明者は、薬包に照射された光の透過光を撮像したデジタル画像に基づき薬包１２中の薬剤を計数する際、薬包１２のシート面に表示された文字等の情報識別部が計数の妨げになるという課題解決のため、前記光の波長及び撮像部が受光する受光量について着目した研究に鋭意取組んだ。その結果、前記光として可視光を用いた場合、その受光量を増やすに伴い、前記デジタル画像における薬剤部分の濃淡値と文字部分の濃淡値とが同様に上昇するが、近赤外光の場合、文字部分の濃淡値の方が薬剤部分の濃淡値より先に上昇するという知見を得て本発明に至った。
【００３６】
まず、露光時間を一定に維持しつつ輝度を変化させることにより受光量を変化させた場合を具体的に説明する。
照明部の光として可視光用いた場合、輝度が低い状態の薬包画像は、図３（ａ）に示すように、文字部分及び薬剤部分の双方とも濃淡値がその背景部分より低く現われており、文字部分及び薬剤部分とこれらの背景部分とのコントラストが視認できる。そして、更に輝度を上昇させて撮像部の受光量を上昇させると、図３（ｂ）に示すように、文字部分及び薬剤部分の濃淡値が同じように上昇して背景部分の濃淡値と殆ど同じ程度になり、画像から上述したコントラストが消える。なお、図３（ａ）では、薬包１２の画像は表裏反転した態様で現われている。
【００３７】
一方、照明部の光として近赤外光を用いた場合、輝度が低い状態の薬包画像は、図３（ａ）に示すように、可視光と同様に文字部分及び薬剤部分の双方とも濃淡値がその背景部分より低く現われおり、文字部分及び薬剤部分とこれらの背景部分とのコントラストが視認できる。ところが、近赤外光の場合、更に輝度を上昇させて撮像部の受光量を上昇させると、図３（ｃ）に示すように、文字部分の濃淡値は上昇して背景部分の濃淡値と殆ど同じ程度となるものの、薬剤部分の濃淡値は殆ど上昇せず薬剤のみのシルエット画像として視認できることを見出したのである。
【００３８】
この理由は、可視光（０．３６μｍ〜０．８μｍ）と近赤外光（略０．８μｍ〜２．５μｍ）の波長の違いに起因した散乱特性や透過特性の相違によるものと考えられる。
例えば、可視光は近赤外光に比べて波長が短いため物体を透過しづらいものの近赤外光に比べて散乱し易い。そのため、インクの塗厚程度と厚みが薄い文字部分の上方及び文字部分より厚みのある薬剤の上方に、散乱した可視光が回り込むことによって、撮像素子の受光面において文字及び薬剤に相当する部分の受光量が上昇し、画像から上述したコントラストが消える。
【００３９】
一方、近赤外光の場合、厚みが薄い文字部分の上方には近赤外光の透過や回り込みにより、撮像素子の受光面において文字に相当する部分の受光量は上昇しやすい。ところが、文字部分に比べて厚みのある薬剤の上方までは散乱光が回り込み難い或いは透過しづらいことによって、撮像素子の受光面において薬剤に相当する部分の受光量は上昇し難く、薬剤のみのシルエット画像として視認できるものとも考えられる。
上述した近赤外光と可視光との画像上における相違は、用いる近赤外光の波長領域が、上限側（２．５μｍ）に近づく程顕著となる傾向にあった。
【００４０】
また、輝度を一定に維持しつつ露光時間を変化させることにより撮像部の受光量を変化させても同様であった。
先ず、照明部の光として可視光用いた場合、短時間露光の薬包画像は、図３（ａ）に示すように、文字部分及び薬剤部分の双方とも濃淡値がその背景部分より低く現われており、文字部分及び薬剤部分とこれらの背景部分とのコントラストが視認できる。そして、更に露光時間を延ばして受光量を上昇させると、図３（ｂ）に示すように、文字部分及び薬剤部分の濃淡値が同じように上昇して背景部分の濃淡値と殆ど同じ程度になり、画像から上述したコントラストが消える。
【００４１】
一方、照明部の光として近赤外光を用いた場合、短時間露光の薬包画像は、図３（ａ）に示すように、可視光と同様に文字部分及び薬剤部分の双方とも濃淡値がその背景部分より低く現われおり、文字部分及び薬剤部分とこれらの背景部分とのコントラストが視認できる。ところが、近赤外光の場合、更に露光時間を延ばすことにより受光量を上昇させると、図３（ｃ）に示すように、文字部分の濃淡値は上昇して背景部分の濃淡値と殆ど同じ程度となるものの、薬剤部分の濃淡値は上昇せず薬剤のみのシルエット画像として視認できるのである。以上の知見に基づいて本発明に至ったのである。
【００４２】
次に、本実施形態の薬剤個数計数装置１０の動作例について図４を用いて説明する。図４は、本実施形態の薬剤個数計数装置１０において実行される処理フロー例を示す。
［処理フロー例］
まず、ステップＳ１２において、制御部４０は、上述したＧＵＩ画面である入力画面４１を表示部４２に表示する。
ここで、本実施形態の入力画面例について図５（ａ）を用いて説明する。本実施形態の入力画面４１は、図５（ａ）に示すように、例えば薬包画像表示エリア４３や、作業指示エリア５１を備える。薬包画像表示エリア４３には、薬包１２の原画像や２値化画像が表示される。また、作業指示エリア５１には、図５（ａ）に示すように、例えば撮像を指示するための撮像ボタン４５、輝度を増加させるための輝度ＵＰボタン５２、輝度を減少させるための輝度ＤＯＷＮボタン５３、受光量の調整を指示するための受光量調整ボタン４８、処理を終了させるための終了ボタン４９、薬剤の計数開始を指示する計数ボタン５４等が表示される。この入力画面４１を介して、制御部４０に対する指示を行うことが可能な構成となっている。
【００４３】
ここで処理フローの説明に戻る。次に、作業者は、錠剤が含まれてない、すなわち空の薬包１２を、図２に示すように、下側シート１４（文字記載側）を下方に向けた状態で照明部２０、より詳しくは拡散板２４上に載置する。
【００４４】
次に、ステップＳ１４において、制御部４０は、撮像ボタン４５がクリックされたか否かを判断し、クリックされた場合、処理をステップＳ１６に移し、クリックされなかった場合、処理をステップＳ３６に移す。
【００４５】
次に、ステップＳ１６において、制御部４０は、照明部２０に近赤外光を照射する指示をするとともに撮像部３０に撮像指示を行う。当該撮像指示を受けた撮像部３０は、薬包１２の原画像データを取得し、当該原画像データを画像処理部３８に送る。そして、制御部４０は、処理をステップＳ１８に移す。
【００４６】
次に、ステップＳ１８において、制御部４０は、画像処理部３８に対して当該原画像データの２値化指示を行う。当該２値化指示を受けた画像処理部３８は、前記原画像データを、例えば１３０階調等の第１閾値で２値化し、２値化画像を生成する。次に、制御部４０は、前記２値化画像におけるノイズ除去指示を行う。このノイズ除去指示を受けた画像処理部３８は、前記２値化画像において上述したノイズ除去処理を実行し、孤立画素の座標情報やノイズ除去処理後の２値化画像データを記憶部４４に書き込む。そして、制御部４０は、ステップＳ２０に処理を移す。
【００４７】
次に、ステップＳ２０において、制御部４０は、前記２値化画像データに基づいて薬包１２の２値化画像を表示部４２に表示する（図５（ａ）参照）。
【００４８】
この状態で作業者は表示部４２において薬包１２の文字を視認できない場合、薬包１２の文字を視認できるように作業指示エリア５１の輝度ＵＰボタン５２或いは輝度ＤＯＷＮボタン５３をクリックすることで照明部２０の輝度を調整することができる。
すなわち、ステップＳ２２において、制御部４０は、輝度ＤＯＷＮボタン５３がクリックされたか否かを判断し、クリックされた場合は処理をステップＳ２４に移す。また、制御部４０は、輝度ＤＯＷＮボタン５３がクリックされなかった場合、輝度ＵＰボタン５２がクリックされたか否かを判断し、クリックされた場合は処理をステップＳ２４に移す。次に、制御部４０は、輝度ＵＰボタン５２がクリックされなかった場合は、処理をステップＳ２６に移す。
【００４９】
次に、ステップＳ２４において、制御部４０は、輝度調整部２５に対して輝度を調整する指示を行う。より詳しくは、輝度ＤＯＷＮボタン５３がクリックされた場合は、輝度調整部２５に対して所定の輝度分下げる指示を行い、輝度ＵＰボタン５２がクリックされた場合は、輝度調整部２５に対して所定の輝度分上げる指示を行う。
このように作業者は、表示部４２を見ながら画面上で薬包１２の文字を視認できるように（図５（ａ）参照）照明部２０の輝度を調整する。
【００５０】
次に、ステップＳ２６において、制御部４０は、受光量調整ボタン４８がクリックされたか否かを判断しクリックされた場合は、処理をステップＳ２８に移し、クリックされなかった場合は、処理をステップＳ３６に移す。
【００５１】
次に、ステップＳ２８において、制御部４０は、画像処理部３８に送られた原画像の全ての画素のうち、上述したノイズ除去により孤立画素を除いた略全ての画素の濃淡値を画素毎に認識する。例えば、前記画素毎の濃淡値テーブルを作成し記憶部４４に記録し、処理をステップＳ３０に移す。
【００５２】
次に、ステップＳ３０において、制御部４０は、前記略全ての前記画素の濃淡値が、例えば２４０階調等の第２閾値以上か否かを判断し、第２閾値以上の場合、処理をステップＳ３４に移す。また、第２閾値未満の場合、処理をステップＳ３２に移す。
【００５３】
次に、ステップＳ３２において、制御部４０は、輝度調整部２５に対して所定の輝度分上げる指示をし、処理をステップＳ３８に移す。
【００５４】
次に、ステップＳ３８において、制御部４０は、照明部２０に近赤外光を照射する指示をし、撮像部３０に露光時間を変化させずに撮像指示を行う。当該撮像指示を受けた撮像部３０は、薬包１２の原画像データを取得し、当該原画像データを画像処理部３８に送る。そして、制御部４０は、処理をステップＳ２８に移す。
【００５５】
次に、ステップＳ３４において、制御部４０は、輝度調整部２５の輝度設定値を調整輝度設定値として記憶部４４に記録するとともに、露光時間を記憶部４４に記録し、処理をステップＳ３６に移す。なお、図５（ｂ）は、受光量を調整することにより画像上で情報識別部（文字・記号等）が消去された様子を示す。
【００５６】
次に、ステップＳ３６において、制御部４０は、終了ボタン４９がクリックされたか否かを判断し、クリックされた場合は処理を終了し、クリックされなかた場合は、処理をステップＳ１２に移す。
【００５７】
このように、制御部４０は、特にステップＳ２６〜ステップＳ３８の処理で説明したように、撮像部３０が露光中に受光する近赤外光の光量を調整する受光量調整手段として機能し、薬剤が含まれていない状態の薬包１２のデジタル画像において、情報識別部に対応する画素の濃淡値が第１閾値より低く、情報識別部の背景に対応する画素の濃淡値が第１閾値以上の状態から、略全ての画素の濃淡値が第１閾値より高い第２閾値を越えるまで前記受光量を調整するのである。
また、本実施形態の受光量の調整は、ステップＳ３２に示すように、照明部２０の輝度を調整する輝度調整を含む構成となっているのである。
なお、本実施形態の薬剤個数計数装置１０では、制御部４０が受光量調整手段として機能する構成となっているが、制御部４０に替えて、ＣＰＵを備える画像処理部３８を受光量調整手段として機能させる構成であってもよい。
【００５８】
また、上述した処理フローにおいては、露光時間を一定に維持しつつ輝度を変化させることにより受光量を調整する構成となっているが、受光量調整は上述した構成に限るものではなく、輝度を一定に維持しつつ露光時間を変化させる構成でもよい。
例えば、上述したステップＳ３２において、制御部４０は、輝度調整部２５の輝度設定値を変化させることなく、撮像部３０に対して露光時間を所定時間延長させる指示を行い、処理をステップＳ２８に移すとよい。すなわち、受光量の調整は、撮像部の露光時間を調整する露光時間調整を含む構成であってもよい。
【００５９】
［薬剤計数］
上述した処理フローにより調整した輝度の近赤外光を薬包１２に照射しつつ、当該薬包１２に封入された薬剤の個数を計数する。具体的には、制御部４０は、例えば計数ボタン５４がクリックされると、照明部２０の輝度を前記調整輝度設定値に設定し照射する指示を行う。更に、制御部４０は、撮像部３０に対して前記露光時間で撮像指示を行い、この近赤外光を受光して撮像部３０が取得した薬包１２のデジタル画像を画像処理部３８に送る。当該デジタル画像を受けた画像処理部３８が、このデジタル画像に基づき、上述した第２閾値による２値化処理を実行して薬剤のみが黒くなった白黒画像（図３（ｃ）参照）を取得する。さらに画像処理部３８は、前記白黒画像に基づいてラベリング処理等の画像処理を実行して薬剤の個数を計数する。このように、制御部４０及び画像処理部３８は、撮像部３０からのデジタル画像に基づいて薬剤の個数を計数する薬剤計数手段として機能する。
【００６０】
これまで説明したように本実施形態の薬剤個数計数装置１０によれば、薬包１２に文字・図形等が印字され或いは筆記されていても、薬包１２内の薬剤個数を精度高く計数可能であるとともに装置側の処理負担を軽減可能な薬剤個数計数装置を提供できる。
【００６１】
以上、本発明の実施形態のうちいくつかを図面に基づいて詳細に説明したが、これらはあくまでも例示であり、当業者の知識に基づいて種々の変形、改良を施した他の形態で本発明を実施することが可能である。例えば、予め所定の撮像条件の下で薬剤のシルエット画像を取得し、当該シルエット画像と薬剤との対応テープルを作成し、薬包中の薬剤のシルエット画像と対応テーブルのシルエット画像とを比較することにより、当該薬剤の種類を検査する構成を追加してもよい。
【符号の説明】
【００６２】
１  薬剤
１０  薬剤個数計数装置
１２  薬包
１３  上側シート
１４  下側シート
１１，１８  文字（情報識別部）
１５  記号（情報識別部）
２０  照明部
３０  撮像部
３８  画像処理部（薬剤計数手段）
４０  制御部（受光量調整手段，薬剤計数手段）
Ｉ  近赤外光
【図１】
0005898529.tif 000002
【図２】
0005898529.tif 000003
【図３】
0005898529.tif 000004
【図４】
0005898529.tif 000005
【図５】
0005898529.tif 000006